(57)【要約】【課題】経糸のみにエラストマー繊維を用いて、緯糸方向により柔軟な伸縮性ないし緩衝性を備えた絡み織物を得ること、また多様な糸を用いて所望の伸縮性ないし緩衝性を備えた絡み織物を得ることを課題としている。【解決手段】経糸１と緯糸２とで織成され、隣接する緯糸相互の間で経糸相互を交差させた絡み部３を備え、隣接する絡み部相互の間に複数本の緯糸が挿通されている絡み織物において、前記複数本の緯糸が所定数の経糸に織り込まれている織り領域４と、当該複数の緯糸が所定数の経糸に一括して挟持されている束ね領域５とを、前記複数本の緯糸の長手方向に交互に備えているか、または所定長さの絡み部３が千鳥状に配置されていることを特徴とする。【選択図】      図２
2004308075.tif 000002
【特許請求の範囲】
【請求項１】
エラストマーモノフィラメント又は緩く撚られたその複数本からなる経糸（１）と、緯糸（２）とで織成され、隣接する緯糸相互の間で経糸相互を交差させた絡み部（３）を備え、隣接する絡み部相互の間に複数本の緯糸が挿通されている絡み織物において、前記複数本の緯糸が所定数の経糸に織り込まれている織り領域（４）と、当該複数の緯糸が所定数の経糸に一括して挟持されている束ね領域（５）とを、前記複数本の緯糸の長手方向に交互に備えていることを特徴とする、絡み織物。
【請求項２】
エラストマーモノフィラメント又は緩く撚られたその複数本からなる経糸（１）と、緯糸（２）とで織成され、隣接する緯糸相互の間で経糸相互を交差させた絡み部（３）を備え、隣接する絡み部相互の間に複数本の緯糸が挿通されている絡み織物において、前記複数本の緯糸が所定本数の緯糸に織り込まれ又は一括して挟持されている第１の領域（８）と、当該複数本の緯糸の一部とこれに隣接する群を形成している複数本の緯糸の残部とが所定本数の経糸に織り込まれ又は一括して挟持されている第２の領域（９）とが、経緯方向に交互に形成されることにより、所定長さの絡み部（３）が千鳥状に配置されていることを特徴とする、絡み織物。
【請求項３】
経糸が熱融着性の表面を備え、緯糸がマルチフィラメントないしモール糸である、請求項１又は２記載の絡み織物。
【発明の詳細な説明】
【０００１】
【発明が属する技術分野】
この発明は、隣接する緯糸の間で経糸が交差している絡み部分を備えた絡み織物に関するもので、通気性と共に二次元平面での伸縮性を付与した織物に関するものである。
【０００２】
【従来の技術】
絡み織物は、隣接する緯糸の間で経糸が交差する絡み部分で緯糸間隔が広くなって空隙ができるために通気性に優れ、絽や紗と呼ばれる繊維の織り方として古くから用いられている。
【０００３】
近年の高分子材料と糸加工技術の発達により、適度な伸縮性と高い強度とを兼ね備えたエラストマー繊維が種々提供されており、このようなエラストマー繊維を経糸又は緯糸として用いることによって、絡み織物が本来有する通気性に加えて、弾性ないし緩衝性を備えた織物が、そのホールディング性、緩衝性、消波性などを利用する産業資材としての用途に用いられるようになってきている。
【０００４】
この種の用途における従来の絡み織物は、緯糸、経糸又はその両方にエラストマー繊維を用いることにより、縦、横又は二次元面内での伸縮性を付与しようとするもので、絡み部分が存在することを除けば、一般の織り組織と同様に、緯糸が直線的に経糸に織り込まれた組織となっている。
【０００５】
【発明が解決しようとする課題】
この発明は、経糸のみにエラストマー繊維を用いて、緯糸方向により柔軟な伸縮性ないし緩衝性を備えた絡み織物を得ること、更に緯糸にもエラストマー繊維を用いたときにも、従来のこの種織物より優れた二次元面内における伸縮性ないし緩衝性を付与することができ、従ってより多様な糸を用いて所望の伸縮性ないし緩衝性を備えた絡み織物を製織することが可能な技術手段を得ることを課題としている。
【０００６】
【課題を解決するための手段】
上記課題を解決した本願請求項１の発明に係る絡み織物は、エラストマーモノフィラメント又は緩く撚られたその複数本からなる経糸１と、緯糸２とで織成され、隣接する緯糸相互の間で経糸相互を交差させた絡み部３を備え、隣接する絡み部相互の間に複数本の緯糸が挿通されている絡み織物において、前記複数本の緯糸が所定数の経糸に織り込まれている織り領域４と、当該複数の緯糸が所定数の経糸に一括して挟持されている束ね領域５とを、前記複数本の緯糸の長手方向に交互に備えていることを特徴とするものである。
【０００７】
また、本願請求項２に係る絡み織物は、エラストマーモノフィラメント又は緩く撚られたその複数本からなる経糸１と、緯糸２とで織成され、隣接する緯糸相互の間で経糸相互を交差させた絡み部３を備え、隣接する絡み部相互の間に複数本の緯糸が挿通されている絡み織物において、前記複数本の緯糸が所定本数の緯糸に織り込まれ又は一括して挟持されている第１の領域８と、当該複数本の緯糸の一部とこれに隣接する群を形成している複数本の緯糸の残部とが所定本数の経糸に織り込まれ又は一括して挟持されている第２の領域９とが、経緯方向に交互に形成されることにより、所定長さの絡み部３が千鳥状に配置されていることを特徴とするものである。
【０００８】
また請求項３の発明は、上記の絡み織物において、経糸が熱融着性の表面を備え、緯糸がマルチフィラメントないしモール糸であることを特徴とするものである。
【０００９】
経糸１には、好ましくは融着性表面を備えた、エラストマーモノフィラメント又はマルチフィラメントを用い、緯糸２としては高強力の１０００〜３０００ｄｔｅｘの太さのマルチフィラメント糸を用い、用途によっては、この高強力フィラメントの緯糸にポリウレタンモノフィラメントを合糸して、織物により柔軟な伸縮性を付与する。
【００１０】
絡み部３は、通常の紗や絽組織のように直線的に形成されたものではなく、蛇行ないし湾曲した態様となる。
【００１１】
上記の織物の経糸となるエラストマーは、用途に合わせそれぞれ、単糸、および数本合糸（撚糸）の使い分けとともに、組織崩れを防ぐために、融着ないし接着性のある表面を備えたものとすることができる。
【００１２】
上記織物における緯糸２としては、好ましくは、産業用高強力フィラメント（１０００〜３０００ｄｔｅｘ）、ポリエステル糸にタスラン加工や仮撚りをした嵩高糸、高強力フィラメント糸にポリウレタンモノフィラメントや導電糸を合糸したもの等を目的に応じて使用する。
【００１３】
【作用】
上記構造の絡み織物は、互いに平行に直線的に配置される経糸１に対して緯糸２が蛇行する態様で織り込まれるため、たとえ緯糸自体が伸縮性を備えていなくても、緯糸方向に若干の伸縮性ないし緩衝性を付与することができる。そして、現実には多数本の糸を撚って１本にしたマルチフィラメント糸は、それ自体が若干の伸縮性を備えており、更に緯糸にエラストマーを含ませることにより、緯糸自身の伸縮性を大きくすることも可能であるから、用途に応じた糸使いによって、それぞれの用途に応じた最適な縦横方向の伸縮性を絡み織物に付与することができる。そして、織り組織から来る伸縮性が織物に付与されるので、経緯の糸の材質を従来と同じとしたときには、緯糸方向の伸縮性ないし緩衝性をより大きくすることができる。
【００１４】
【発明の実施の形態】
以下、図面に示す実施例を参照して、この発明の実施形態を説明する。図において、１は経糸、２は緯糸、３は絡み部、４は織り領域、５は複数本の緯糸を一括して経糸に織り込んだ（挟持した）束ね領域である。
【００１５】
図の実施例では、経糸１として５００ｄｔｅｘのエラストマーを５０回／ｍで緩く撚った、全体が２０００ｄｔｅｘの糸条を用いており、表面に熱溶融性樹脂をコーティングすることにより、融着性を付与している。すなわち、製織後、コーティング樹脂の溶融温度以上に加熱することによって、交点において経糸相互が融着し、目ずれを防止することができるようにしてある。
【００１６】
緯糸２は、１０００〜３０００ｄｔｅｘのマルチフィラメントやモール糸で、以下に述べるような組織を採用することにより、蛇行した状態で経糸１に織り込まれている。
【００１７】
図１に示した例では、３本の緯糸２を一群６とし、経糸１の所定数を８本として、隣接する緯糸２相互の間で経糸１相互を交差させた絡み部３が形成されており、隣接する絡み部３相互の間に３本の緯糸２が挿通されている。そして、一群となる３本の緯糸群６が８本の経糸１に織り込まれている織り領域４と、一群の緯糸群６が所定数の経糸７に一括して挟持されている束ね領域５とが、一群の緯糸群６の長手方向に交互に形成されている。織り領域４は、図では平織である。
【００１８】
すなわち、図に示すように、一群とした３本の緯糸が８本の経糸の間に織り込まれている織り領域４と、当該３本の緯糸が一括して８本の経糸によって挟持されている束ね領域５とが、緯方向にも経方向にも交互に配置されることになり、それによって絡み部３及びこれに隣接する緯糸２が蛇行した状態となっている。
【００１９】
また、図２に示す第２実施例においては、２本の緯糸２を一群とし、経糸１の所定数を８本として、２本の緯糸２が８本の経糸１に一括して挟持されている第１の領域８と、当該２本の緯糸の一部である一本とこれに隣接する群を形成している２本の緯糸の残部である一本とが４本の経糸に一括して挟持されている第２の領域９とが、経緯方向に交互に形成されることにより、所定長さの絡み部３が千鳥状に配置された組織となっている。
【００２０】
すなわち、一群の緯糸６を所定本数経糸７で一括して挟持し、次に当該一群の緯糸６の一部とこれに隣接する一群の緯糸の残部とで新たな群を形成して、当該新たな群を所定本数の経糸で一括して挟持するという織り構造を採用することにより、複数本の緯糸を束ねた第１及び第２の束ね領域８、９と、隣接する緯糸群相互の間で経糸を交差させた絡み部３とが、縦横方向に交互に形成されるようにして、緯糸２を蛇行させている。
【００２１】
第１実施例の組織では、絡み部３が緯糸２に沿う方向に連続しているのに対し、図２に示す第２実施例のものでは、絡み部３が経糸の所定本数毎に断続して千鳥に配置される状態となっている。
【００２２】
この第２実施例のものにおいて、４本の緯糸を一群とし、図２で束ね領域８、９となっている箇所を例えば中央の２本を同口とした平織組織などの織り領域とし、その４本一群の緯糸の内の２本を隣接する群の残り２本の緯糸と合せて新たな一群として、当該一群を所定本数の経糸で織った組織とすることもでき（図３）、この場合には織り領域４と絡み部３とが織物の経緯方向に交互に配置されることになり、緯糸２は２本を一組として蛇行することとなる。
【００２３】
なお、経緯の糸使いとして、経糸１を１本のエラストマーのモノフィラメントとする構造や、緯糸２にカバーリングしたポリウレタンモノフィラメントを合糸することにより、織成された絡み織物の縦横の弾性ないし緩衝性を自由に調整することができる。
【００２４】
【発明の効果】
以上説明したこの発明の絡み織物は、絡み織物が本来備えている大きな開口による通気性ないし通水性に加えて、経糸にエラストマーを使い、緯糸を蛇行させることによって、適度なクッション性とホールド性を付与することができ、絡み部３が蛇行ないし断続することで、より均一な通気性が得られ、緯糸が蛇行状態で経糸に織り込まれることから、目ずれが防止され、蛇行による緯糸の遊びが横方向にも適度な伸縮性を生むという特徴がある。更に絡み部３の蛇行ないし断続及び緯糸の蛇行により、織り柄の方向性が少なくなり、種々の産業用資材として使用するときの裁断ロスの低減を図ることが可能となり、ポリウレタン糸をカバーリングした緯糸を使用することにより、縦横方向の柔軟な伸縮性を付与することができる。また、経糸の交点を融着加工することで、目ずれを防止することができると共に、小さな傷が大きな破れに進行する問題を回避することができる。
【図面の簡単な説明】
【図１】第１実施例の織り組織を示す拡大平面図
【図２】第２実施例の織り組織を示す拡大平面図
【図３】第２実施例の変形組織を示す拡大平面図
【符号の説明】
１  経糸
２  緯糸
３  絡み部
４  織り領域
５  束ね領域
【図１】
2004308075.tif 000003
【図２】
2004308075.tif 000004
【図３】
2004308075.tif 000005